(57)【要約】【課題】導電銅環がする時、端子と導電銅環、或いは導電銅環と支持機構のブレースとが、規律的に干渉現象を起こすことにより、センス効果を実現することができるモバイルナビゲーションデバイスのローラーセンス構造を提供する。【解決手段】  本考案は、主として、導電銅環と複数の端子と支持機構とからなり、当該導電銅環は導電金属からなる中空柱体であり、導電銅環の外側表面には絶縁層が覆われ、当該複数の端子にはそれぞれに前記導電銅環内へ伸び、当該導電銅環と電気的に接続する接触片があり、また、複数の端子はデフォルトの回路に電気的に接続され、当該支持機構は二つのブレースからなり、また、二つのブレースはそれぞれのアームが導電銅環の両端から伸び入れることにより、導電銅環を支持する。【選択図】  図1
0003104918.tif 000002
【実用新案登録請求の範囲】
【請求項１】
導電銅環と、複数の端子と、支持機構とがあり、当該導電銅環は導電金属からなる中空柱体であり、当該複数の端子にはそれぞれに前記導電銅環の内縁に伸び入れて当該導電銅環と電気的に接続する接触片があり、また、複数の端子とデフォルトの回路とは電気的に接続され、当該支持機構は二つのブレースからなり、また、二つのブレースのそれぞれのアームを導電銅環の両端から伸び入れて導電銅環を支持するモバイルナビゲーションデバイスのローラーセンス構造において、
導電銅環の内縁表面には平坦的でない表面があり、導電銅環が回転する時、当該導電銅環の内縁の平坦的でない表面と端子接触片とが明白的かつ規律的な干渉現象を起こすことにより、センス効果を実現することを特徴とするモバイルナビゲーションデバイスのローラーセンス構造。
【請求項２】
当該二つのブレースの一つのブレースの端面には固定部があり、もう一つのブレースの端面には当該固定部と結合するための固定孔があることを特徴とする請求項1記載のモバイルナビゲーションデバイスのローラーセンス構造。
【請求項３】
当該導電銅環の内縁にある平坦的でない表面には多数の均一的に導電銅環の内縁円周に分布する突出があることを特徴とする請求項1記載のモバイルナビゲーションデバイスのローラーセンス構造。
【請求項４】
当該導電銅環の内縁の平坦的でない表面には多数の均一的に導電銅環の内縁円周に分布する欠け口があることを特徴とする請求項1記載のモバイルナビゲーションデバイスのローラーセンス構造。
【請求項５】
導電銅環と、複数の端子と、支持機構とがあり、当該導電銅環は導電金属からなる中空柱体であり、導電銅環の内縁表面には平坦的でない表面があり、当該複数の端子にはそれぞれに前記導電銅環の内縁に伸び入れて当該導電銅環と電気的に接続する接触片があり、複数の端子とデフォルトの回路とは電気的に接続され、当該支持機構は二つのブレースからなり、また、二つのブレースのそれぞれのアームを導電銅環の両端から伸び入れて導電銅環をするモバイルナビゲーションデバイスのローラーセンス構造において、
支持機構の少なくとも一つのアームの外表面には平坦的でない表面があり、導電銅環が回転する時、当該導電銅環の内縁の平坦的でない表面と支持機構のアームの平坦的でない表面とが明白的にかつ規律的な干渉現象を起こすことにより、センス効果を実現することを特徴とするモバイルナビゲーションデバイスのローラーセンス構造。
【請求項６】
当該導電銅環の内縁にある平坦的でない表面は導電銅環の腹部に対応して凹む弾性片であり、当該弾性片と支持機構のアームの平坦的でない表面とが明白的かつ規律的な干渉現象を起こすことにより、センス効果を実現することを特徴とする請求項5記載のモバイルナビゲーションデバイスのローラーセンス構造。
【請求項７】
導電銅環の内縁にある平坦的でない表面は導電銅環の腹部に対応して凹む弾性片であり、また、当該弾性片は互いに対応する環形状であることを特徴とする請求項6記載のモバイルナビゲーションデバイスのローラーセンス構造。
【請求項８】
支持機構のアームにある平坦的でない表面はギア形状の外表面であることを特徴とする請求項5記載のモバイルナビゲーションデバイスのローラーセンス構造。
【考案の詳細な説明】
【技術分野】
【０００１】
本考案は、モバイルナビゲーションデバイスのローラーセンス構造に関し、特に、使用される時、明白的にローラー滑り止めセンスが発生する当該モバイルナビゲーション機構に関する。
【背景技術】
【０００２】
一般に、従来のものは、米特許第6,097,964号の「セルホンのナビゲーションボタン」の例えば、本特許明細書の図１１に開示されているように、当該ナビゲーションボタンには軸体４０があり、当該軸体４０の中央には軸４１が設けられ、また、当該軸体４０と軸４１とは、軸受４２とエンコーダ４７との間に設置され、また、当該軸体４０とエンコーダ４７との間には、金属トレイ４４と外部スリーブ４６とが設置され、当該金属トレイ４４上には突出４５があり、また、当該エンコーダ４７の外側にはロッキング素子４３が設置され、これにより、ユーザーとセルホンの電子システムとの通信媒体とする、セルホンのナビゲーションボタンが構成されている。
【０００３】
上記の「セルホンのナビゲーションボタン」は、主として、ユーザーとセルホンとの通信媒体であり、当該ナビゲーションボタンは軸体４０により前へや後へ回転することが選択された時、当該金属トレイ４４上にある突出４５により、当該軸体４０にはローラーが前へや後へ回転する退き止めセンスが発生されるが、当該ナビゲーションボタンは突出４５のみによりセンスを発生するため、当該軸体４０で前へや後へ回転することを選択する時、センスの反応が容易に明白的にならないから、上記の従来の「セルホンのナビゲーションボタン」は使用する時、現実的に需要を満足できない。
【考案の開示】
【考案が解決しようとする課題】
【０００４】
本考案の主な目的は、セルホンのナビゲーションボタンで前へや後へ回転するのを選択した時、センスの反応が不明白で、現実的に需要を満足できないことを改善して、セルホンのナビゲーションボタンにセンス効果反応が明白的になる効果を実現する。
【課題を解決するための手段】
【０００５】
実用新案登録請求の範囲の請求項１に記載の考案のモバイルナビゲーションデバイスのローラーセンス構造は、  導電銅環と、複数の端子と、支持機構とがあり、当該導電銅環は導電金属からなる中空柱体であり、当該複数の端子にはそれぞれに前記導電銅環の内縁に伸び入れて当該導電銅環と電気的に接続する接触片があり、また、複数の端子とデフォルトの回路とは電気的に接続され、当該支持機構は二つのブレースからなり、また、二つのブレースのそれぞれのアームを導電銅環の両端から伸び入れて導電銅環を支持するモバイルナビゲーションデバイスのローラーセンス構造において、導電銅環の内縁表面には平坦的でない表面があり、導電銅環が回転する時、当該導電銅環の内縁の平坦的でない表面と端子接触片とが明白的かつ規律的な干渉現象を起こすことにより、センス効果を実現することを特徴とする。
【０００６】
実用新案登録請求の範囲の請求項２に記載の考案のモバイルナビゲーションデバイスのローラーセンス構造は、当該二つのブレースの一つのブレースの端面には固定部があり、もう一つのブレースの端面には当該固定部と結合するための固定孔があることを特徴とする。
【０００７】
実用新案登録請求の範囲の請求項３に記載の考案のモバイルナビゲーションデバイスのローラーセンス構造は、当該導電銅環の内縁にある平坦的でない表面には多数の均一的に導電銅環の内縁円周に分布する突出があることを特徴とする。
【０００８】
実用新案登録請求の範囲の請求項４に記載の考案のモバイルナビゲーションデバイスのローラーセンス構造は、  当該導電銅環の内縁の平坦的でない表面には多数の均一的に導電銅環の内縁円周に分布する欠け口があることを特徴とする。
【０００９】
実用新案登録請求の範囲の請求項５に記載の考案のモバイルナビゲーションデバイスのローラーセンス構造は、  導電銅環と、複数の端子と、支持機構とがあり、当該導電銅環は導電金属からなる中空柱体であり、導電銅環の内縁表面には平坦的でない表面があり、当該複数の端子にはそれぞれに前記導電銅環の内縁に伸び入れて当該導電銅環と電気的に接続する接触片があり、複数の端子とデフォルトの回路とは電気的に接続され、当該支持機構は二つのブレースからなり、また、二つのブレースのそれぞれのアームを導電銅環の両端から伸び入れて導電銅環をするモバイルナビゲーションデバイスのローラーセンス構造において、支持機構の少なくとも一つのアームの外表面には平坦的でない表面があり、導電銅環が回転する時、当該導電銅環の内縁の平坦的でない表面と支持機構のアームの平坦的でない表面とが明白的にかつ規律的な干渉現象を起こすことにより、センス効果を実現することを特徴とする。
【００１０】
実用新案登録請求の範囲の請求項６に記載の考案のモバイルナビゲーションデバイスのローラーセンス構造は、当該導電銅環の内縁にある平坦的でない表面は導電銅環の腹部に対応して凹む弾性片であり、当該弾性片と支持機構のアームの平坦的でない表面とが明白的かつ規律的な干渉現象を起こすことにより、センス効果を実現することを特徴とする。
【００１１】
実用新案登録請求の範囲の請求項７に記載の考案のモバイルナビゲーションデバイスのローラーセンス構造は、導電銅環の内縁にある平坦的でない表面は導電銅環の腹部に対応して凹む弾性片であり、また、当該弾性片は互いに対応する環形状であることを特徴とする。
【００１２】
実用新案登録請求の範囲の請求項８に記載の考案のモバイルナビゲーションデバイスのローラーセンス構造は、支持機構のアームにある平坦的でない表面はギア形状の外表面であることを特徴とする。
【考案の効果】
【００１３】
本考案は、導電銅環がする時、端子と導電銅環、或いは導電銅環と支持機構のブレースとが、規律的に干渉現象を起こすことにより、センス効果を実現する。
【考案を実施するための最良の形態】
【００１４】
図１〜４は、それぞれ、本考案の第1の実施例の立体分解概念図、本考案の第1の実施例の導電銅環の概念図、本考案の第1の実施例の導電銅環の他の角度からの概念図、本考案の第1の実施例の使用状態の概念図である。図のように、本考案はモバイルナビゲーションデバイスのローラーセンス構造であり、支持機構１と、複数の端子２と、導電銅環３とから構成され、導電銅環３は、回転する時、複数の端子２と互いに干渉して当接し、センスを発生する。
【００１５】
上記の支持機構１は二つのブレース１１、１２からなり、当該二つのブレース１１、１２にはそれぞれ互いに対応するアーム１１１、１２１があり、当該ブレースの一つのブレース１１の端面には固定部１１２があり、もう一つのブレース１２の端面には、当該固定部１１２と結合するための固定孔１２２がある。
【００１６】
複数の端子２は銅材質で作成され、当該複数の端子２にはそれぞれに接触片２１があり、当該各端子２はそれぞれ上記の支持機構１の両側に設置され、また、当該各端子２の接触片２１はそれぞれ当該支持機構１の二つのブレース１１、１２の両側縁に設置され、また、複数の端子はデフォルトの回路に電気的に接続される。
【００１７】
導電銅環３は、当該導電銅環３の両端から、それぞれに伸び入れる二つのブレース１１、１２のアーム111、121により支持され、上記複数の端子２の接触片２１は、当該導電銅環３の内縁に伸び入れて予応力を印加するとともに、当該導電銅環3と電気的に接続し、当該導電銅環３は導電金属からなる中空柱体であり、当該導電銅環３の内縁表面には平坦的でない表面があり、当該平坦的でない表面には、多数の均一的に導電銅環の内縁円周に分布する突出３１があり、当該突出３１により、当該各端子２の接触片２１と当該突出３１とは、それぞれに互に当接する状態になる。
【００１８】
図４のように、使用する時、当該導電銅環３の外部にはアクスルスリーブ（図に表示せず）が被られ、当該アクスルスリーブが往復に回転する時、当該導電銅環３がそれと連動して回転し、これにより、互いに当接する突出３１と接触片２１とが、押されるや回復する現象を起こすから、当該導電銅環３は回転する時、当該接触片２１により明白的にローラー滑り止めセンスを発生し、同じ材質である導電銅環３と端子２との干渉と押し合せにより耐用寿命を伸ばす効果が達成される。
【００１９】
図５〜８は、それぞれ、本考案の第2の実施例の立体分解概念図、本考案の第2の実施例の導電銅環の概念図、本考案においての図６においての断面状態の概念図、本考案の第2の実施例の使用状態の概念図である。図のように、当該支持機構１は二つのブレース１１、１２からなり、当該二つのブレース１１、１２にはそれぞれに互いに対応するアーム１１１、１２１があり、当該二つのブレース１１、１２の一つのブレース１１の端面には固定部１１２があり、もう一つのブレース１２の端面には当該固定部１１２と結合するための固定孔１２２がある。
【００２０】
複数の端子２は銅材質で作成され、当該複数の端子２にはそれぞれに接触片２１があり、当該各端子２はそれぞれ上記の支持機構１の両側に設置され、また、当該各端子２の接触片２１はそれぞれ当該支持機構１の二つのブレース１１、１２の両側縁に設置され、また、複数の端子はデフォルトの回路に電気的に接続される。
【００２１】
導電銅環３Aは、当該導電銅環３Aの両端からそれぞれに伸び入れる二つのブレース１１、１２のアーム111、121により支持され、上記複数の端子２の接触片２１は、当該導電銅環３Aの内縁に伸び入れて予応力を印加するとともに、当該導電銅環３Aと電気的に接続し、当該導電銅環３Aは導電金属からなる中空柱体であり、当該導電銅環３Aの内縁表面には平坦的でない表面があり、当該平坦的でない表面には多数の均一的に導電銅環の内縁円周に分布する欠け口３１Aがあり、当該欠け口３１Aにより当該各端子２の接触片２１と当該欠け口３１Aとはそれぞれに互いに当接する状態になる。
【００２２】
図８のように、使用する時、当該導電銅環３Aの外部にはアクスルスリーブ（図に表示せず）が被られ、當該アクスルスリーブが往復に回転する時、当該導電銅環３Aがそれと連動して回転しこれにより互に当接する欠け口３１Aと接触片２１とが、押されるや回復する現象を起こすから、当該導電銅環３Aは、回転する時、当該接触片２１により明白的にローラー滑り止めセンスを発生し、同じ材質である導電銅環３Aと端子２との干渉と押し合せにより耐用寿命を伸ばす効果が達成される。
【００２３】
図９、１０は、本考案の第3の実施例の立体分解概念図で、本考案の第3の実施例の使用状態の概念図である。図のように、支持機構１は二つのブレース１１、１２からなり、当該二つのブレース１１、１２にはそれぞれに互いに対応するアーム１１１、１２１があり、また、少なくとも一つのアームの外表面には平坦的でない表面があり、当該平坦的でない表面はギア形状の外表面１３であり、当該二つのブレース１１、１２の一つのブレース１１の端面には固定部１１２があり、もう一つのブレース１２の端面には当該固定部１１２と結合するための固定孔１２２がある。
【００２４】
複数の端子２は銅材質で作成され、当該複数の端子２にはそれぞれに接触片２１があり、当該各端子２はそれぞれ上記の支持機構１の両側に設置され、また、当該各端子２の接触片２１はそれぞれ当該支持機構１の二つのブレース１１、１２の両側縁に設置され、また、複数の端子はデフォルトの回路に電気的に接続される。
【００２５】
導電銅環３Bは、当該導電銅環３Bの両端からそれぞれに伸び入れる二つのブレース１１、１２のアーム111、121により支持され、上記複数の端子２の接触片２１は当該導電銅環３Bの内縁に伸び入れて予応力を印加するとともに、当該導電銅環３Bと電気的に接続し、また、当該各端子２の接触片２１はそれぞれ当該導電銅環３Bの内縁とが互いに当接する状態になり、当該導電銅環３Bは導電金属からなる中空柱体であり、当該導電銅環３の内縁表面には平坦的でない表面があり、当該平坦的でない表面は導電銅環３Bの腹部に対応して凹む、弾性片３１Bであり、当該弾性片３１Bは互いに対応する環形状であり、当該弾性片３１Bと支持機構１のアームのギア形状の外表面１３とが明白的かつ規律的な干渉現象を起こすことによりセンス効果を実現する。
【００２６】
図１０のように、使用する時、当該導電銅環３Bの外部にはアクスルスリーブ（図に表示せず）が被られ、當該アクスルスリーブが往復に回転する時、当該導電銅環３Bがそれと連動して回転し、当該導電銅環３Bの弾性片３１Bと当該支持機構１のギア形状の外表面１３とが互いに当接されることにより、弾性片３１Bには押されるや回復の現象が起こり、これにより、当該導電銅環３Bの内縁にある弾性片３１Bと支持機構アームのギア形状の外表面１３とが明白的かつ規律的な干渉現象を起こすことによりセンス効果を実現する。
【００２７】
以上の説明は、ただ本考案のよりよい実施例であり、本考案の実施範囲を制限するものではなく、また、本考案の実用新案登録請求の範囲や明細書内容に従って等価修正や変更も、本考案の請求範囲に含まれている。
【図面の簡単な説明】
【００２８】
【図１】本考案の第1の実施例の立体分解の概念図である。
【図２】本考案の第1の実施例の導電銅環の概念図である。
【図３】本考案の第1の実施例の導電銅環の他の角度からみる概念図である。
【図４】本考案の第1の実施例の使用状態の概念図である。
【図５】本考案の第2の実施例の立体分解の概念図である。
【図６】本考案の第2の実施例の導電銅環の概念図である。
【図７】本考案の図６の断面状態の概念図である。
【図８】本考案の第2の実施例の使用状態の概念図である。
【図９】本考案の第3の実施例の立体分解の概念図である。
【図１０】本考案の第3の実施例の使用状態の概念図である。
【図１１】従来の立体分解の概念図である。
【符号の説明】
【００２９】
（本考案部分）：
１               支持機構
１１、１２ ブレース
１１１、１２１   アーム
１１２           固定部
１２２           固定孔
１３             ギア形状の外表面
２               多数の端子
２１             接触片
３、３A、３B     導電銅環
３１             突出
３１A      欠け口
３１B      弾性片
（従来の部分）：
４０             軸体
４１             軸
４２             軸受
４３             ロッキング素子
４４             金属トレイ
４５             突出
４６             外部スリーブ
４７             エンコーダ
【図１】
0003104918.tif 000003
【図２】
0003104918.tif 000004
【図３】
0003104918.tif 000005
【図４】
0003104918.tif 000006
【図５】
0003104918.tif 000007
【図６】
0003104918.tif 000008
【図７】
0003104918.tif 000009
【図８】
0003104918.tif 000010
【図９】
0003104918.tif 000011
【図１０】
0003104918.tif 000012
【図１１】
0003104918.tif 000013